(57)【要約】      （修正有）【課題】自動車のドアミラーを、必要に応じ随時死角方向に向け、走行中の安全確認がより容易にできる、一個で二役の方向指示連動型ドアミラーを提供する。【解決手段】ドアミラーを車体に取り付けた状態で、鏡２は横長で車体側の端部分を、車体側面４が映る程に適宜な湾曲に形成し、ドアミラーハウジング１の開口部も鏡の形状に合わせ形成し、その中に形成した鏡２を格納し、ドアミラー格納用の回転駆動装置またはドアミラーハウジング内の鏡角度可変装置に、ドアミラーを死角方向へ向ける死角用の駆動機能及び装置を付加し、それらの起動と復帰は方向指示レバーの操作と連動している。これで左折や右折、斜線変更時にドアミラーが一時的に、死角方向へ動き、鏡２の湾曲部分がせり出て、死角と車体側面４までが映り見え視野も広がり、走行中の安全確認がより容易にできる。【選択図】図４
0003193233.tif 000002
【実用新案登録請求の範囲】
【請求項１】
自動車のドアミラーを車体に取り付けしてある状態で、ドアミラーの鏡は、従来の仕様のものに加えて横長の多角形または楕円形であり、左側用は鏡の右端部分の一定部分が、右側用は鏡の左端部分の一定部分が、それぞれ横方向に鏡の裏側方向に向かって車体側面が映るほどに適宜な湾曲に枠付きで形成してあり、ドアミラーハウジングの開口部も鏡の形状に合わせて形成してあり、その中へ形成した鏡が内部の装置と結合し格納してあり、ドアミラー格納用の回転駆動装置に、ドアミラーを死角方向に向けることができる、死角用回転駆動機能および装置を付加してあり、または、ドアミラーハウジング内の鏡角度可変装置にドアミラーの湾曲した鏡自体を、死角方向へ向けるための死角用角度可変機能および装置を付加してあり、それらの機能や装置は、自動車の方向指示器を作動させる方向指示レバーを操作した時に起動し、方向指示解除と共に復帰する連動型にしてあり、このようなところを特徴とするドアミラーであり、方向指示レバーの操作と連動するところの、方向指示連動型ドアミラー。
【考案の詳細な説明】
【技術分野】
【０００１】  本考案は、自動車のドアミラーに関するものである。
【背景技術】
【０００２】  自動車で走行中、左右後方や後側方の安全確認をする場合、ドアミラーと他にも取り付けられている鏡とも併用し、また直接の目視でも確認していて、中でも死角に関しては注意力が強く要求されて、労力の負担が大きい。
【考案の開示】
【考案が解決しようとする課題】
【０００３】  ドアミラーを必要に応じて随時そのドアミラーの死角方向に位置替えができ、その時々の死角が映り見えるように補助することができ視野も広がる、一個で二役の働きをするドアミラーを形成する。こうする事で、安全確認をより容易にして、前述の問題点を解決しようとするものである。
【課題を解決するための手段】
【０００４】  本考案は、ドアミラーを車体に取り付けた状態で、ドアミラーの鏡は従来の仕様のものに加えて横長の多角形や楕円形などであり、左側用は鏡の右端部分の一定部分を、右側用は鏡の左端部分の一定部分を、それぞれ横方向に鏡の裏側方向に向かって車体側面が映るほどに適宜な湾曲に枠付きで形成する。ドアミラーハウジングの開口部も鏡の形状に合わせて形成し、その中に形成した鏡を内部の装置類に結合し格納する。ドアミラーが横回転で格納動作をする格納用の回転駆動装置に、ドアミラーが死角方向へ向くための、死角用回転駆動機能および装置を付加する。または、ドアミラーハウジング内の鏡角度可変装置に、ドアミラーの湾曲した鏡自体を、死角方向へ向けるための死角用角度可変機能および装置を付加する。それらの機能や装置は、自動車の方向指示器作動のため、方向指示レバーを操作した時にのみ起動し、方向指示解除と共に復帰する。このように方向指示レバーの操作と連動させることで、方向指示連動型ドアミラーとなる。こうする事で、自動車の左折や右折、斜線変更時に、ドアミラーが、前もって一時的に死角方向へ向き一定時間保持され、死角の大半と鏡の端部分の湾曲部分がせり出てくることで、左右後方を車体側面までも含めて視野広く映し見ることができる。これにより左右後方の死角の補助がそのつど可能となり、自動車走行中の安全確認が、より容易になり前述の問題点を解決している。
【考案の効果】
【０００５】  本考案の方向指示連動型ドアミラーは、自動車走行中、左折や右折、斜線変更時に方向指示レバーを操作することで自動的に、その時点での死角が同じドアミラー内に、映り見えるようになる。映り見える像は同じドアミラーの鏡であるため、距離感覚も同じである。またドアミラーが死角方向に向いた時は、鏡の端部分の湾曲部分がせり出てくることで、死角と車体側面までも含む広い視野が得られる。これにより安全確認がより容易にできる。運転労力の軽減になる。このことから走行中の安全確保の向上に役立つ。
【考案を実施するための最良の形態】
【０００６】  ドアミラーの鏡は従来の仕様のものに加えて、横長のものにして例えば、図４に見るように、ドアミラーを死角方向に向けた位置で、左側用のものは鏡の右端部分の一定部分を、横方向に鏡の裏側方向に向かって、車体側面が映り見えるほどに適宜な湾曲に枠付きで形成する。右側用のものは鏡の左端部分の一定部分を前述同様に形成する。ドアミラーハウジングの開口部も鏡の形状に合せて形成する。形成された鏡はドアミラーハウジング内の装置類と結合し格納する。ドアミラーを格納するための回転駆動装置部分に、ドアミラーを死角方向へ向けるための、死角用回転駆動機能および装置を付加する。または、ドアミラーハウジング内の鏡角度可変装置に、ドアミラーの湾曲した鏡自体を、死角方向へ向けるための死角用角度可変機能および装置を付加する。それらの機能や装置は、方向指示レバーの操作と連動させるために、それらの電気回路を、方向指示器系統電気回路に付加する。また、その電気回路には、上述の連動の他に、切替えスイッチなどの操作により必要時のみに起動できる手動運転の機能や状況に応じて左専用、右専用のみの切替え機能、さらに死角方向角度の複数切替え機能などを設けても良い。ドアミラーが通常角度の設定位置にある時は、鏡の端部分の湾曲部分に周囲の像が映らないように、または、見えないように遮へい板を支柱３や車体側面４に設けても良い。
【実施例】
【０００７】  添付図面に従って車体に取り付けた一実施例を説明する。図３に見るものは、鏡２がドアミラーハウジング１に格納されている左側用のドアミラーであり、ドアミラーが死角方向へ切替わった時に、車体側面までが映り見えるよう鏡２の右端部分が適宜に湾曲している。図４に見るものは、鏡２がドアミラーハウジング１に格納されている左側用のドアミラーであり、ドアミラーが方向指示レバーの操作で死角方向へ一定の角度をもって切替わっており、死角と車体側面まで映り見えるように鏡２の湾曲部分がせり出ている。【０００８】  本考案の方向指示連動型ドアミラーは、上述のような構成から成るものであるから、自動車の方向指示レバーの操作時に、その時々に応じた死角を車体側面までも含めて映し見ることができるので、安全確認がより容易になり、労力の軽減と安全確保の向上もはかれ常備用として使用できる。
【図面の簡単な説明】
【０００９】  本考案の実施例としての一例について示してみる。
【図１】左側用の湾曲した鏡の正面からの斜視図である。
【図２】左側用の湾曲した鏡の上からの斜視図である。
【図３】車体に取り付けた左側用の方向指示連動型ドアミラーが、通常の設定位置で納まっているところの斜視図である。
【図４】車体に取り付けた左側用の方向指示連動型ドアミラーが、通常の設定位置から死角方向に一定角度、回転移動したところの斜視図である。
【符号の説明】
【００１０】  １  左側用のドアミラーハウジング
２  左側用の湾曲した鏡
３  支柱
４  自動車の車体側面
５  鏡の枠
【図１】
0003193233.tif 000003
【図２】
0003193233.tif 000004
【図３】
0003193233.tif 000005
【図４】
0003193233.tif 000006
【手続補正書】
【提出日】平成26年7月11日(2014.7.11)
【手続補正１】
【補正対象書類名】実用新案登録請求の範囲
【補正対象項目名】全文
【補正方法】変更
【補正の内容】
【実用新案登録請求の範囲】
【請求項１】
自動車のドアミラーを車体に取り付けしてある状態で、ドアミラーの鏡は、多角形または楕円形であり、左側用は鏡の右端部分の一定部分が、右側用は鏡の左端部分の一定部分が、それぞれ横方向に鏡の裏側方向に向かって車体側面が映るほどに適宜な湾曲に枠付きで形成してあり、ドアミラーハウジングの開口部も鏡の形状に合わせて形成してあり、その中へ形成した鏡が内部の装置と結合し取り付けしてあり、その内部のドアミラー格納用の回転駆動装置に、ドアミラーを死角方向へ向けることができる、死角向け用の回転駆動の装置が付加してあり、または、鏡のみの鏡位置の角度設定の鏡角度可変装置に、ドアミラーの湾曲した鏡自体を死角方向へ向けることができる、死角向け用の鏡角度可変の装置が付加してあり、それらの装置は、自動車の方向指示器を作動させるため、方向指示レバーを操作した時に起動し、ドアミラー、またはドアミラーの鏡を、その指示方向側の死角方向へ向けて、方向指示器の動作解除と共に復帰する。このように方向指示器の動作と連動した仕組みになっており、方向指示器との連動型で、これらのところを特徴とするドアミラーである、方向指示連動型ドアミラー。